(57)【特許請求の範囲】
【請求項１】
土壌の上面に展張される被覆材料を定位置に係止しておくためのアンカー部材であって、先端側の大径部と基端側の小径部が段部を介して連なり且つ大径部の先端が先細りとなった芯体と、この芯体の小径部の外側に嵌装され且つ先端部が前記段部に接合される筒体を備え、前記芯体を土中に打込むと前記筒体も一緒に打込まれるようにし、また前記筒体を芯体とは別個に打込むと、該筒体の一部に設けた膨出部が外側に突出するようにするとともに、前記筒体の膨出部は、筒の円周方向に沿って所定間隔置きに所定幅の螺旋状のスリット溝を複数箇所打抜くことで、スリット溝間に形成される螺旋状の打抜き残部にて構成し、更に、前記筒体を、螺旋方向の異なる内筒と外筒の二重筒構造にすることを特徴とするアンカー部材。
【発明の詳細な説明】
【０００１】
【発明の属する技術分野】
本発明は、例えば山腹法面に植生マット等を展張した際、植生マット等を固定しておくアンカー部材に関する。
【０００２】
【従来の技術】
従来、例えば山腹とか盛土の法面に、植生マットとか緑化ネット等を展張するような法面保護工法において、植生マット等を定位置に固定するためアンカー部材が用いられる。
このアンカー部材は、例えば棒杭状の先端部が先細りとなって土中に打込み易いようにされるとともに、基端側にマット等を係止しておく係止頭部が設けられ、このようなアンカー部材をマット等の上から所定間隔置きに土中に打込んで固定するようにしている。
【０００３】
【発明が解決しようとする課題】
ところが、このような単純な棒杭状のアンカー部材は、例えば土壌が軟弱であるような場合とか、法面の傾斜が急であるような時には土中から抜け出やすく、マット等を定位置に固定しておく係止力が不足しがちになるという問題があった。
【０００４】
そこで本発明は、土中に打込んだ際、周囲の土としっかり係合し、土中から抜け出しにくいアンカー部材の提供を目的とする。
【０００５】
【課題を解決するための手段】
上記課題を解決するため本発明は、土壌の上面に展張される被覆材料を定位置に係止しておくためのアンカー部材において、先端側の大径部と基端側の小径部が段部を介して連なり且つ大径部の先端が先細りとなった芯体と、この芯体の小径部の外側に嵌装され且つ先端部が前記段部に接合される筒体を設け、芯体を土中に打込むと前記筒体も一緒に打込まれるようにし、また筒体を芯体とは別個に打込むと、筒体の一部に設けた膨出部が外側に突出するようにするとともに、前記筒体の膨出部は、筒の円周方向に沿って所定間隔置きに所定幅の螺旋状のスリット溝を複数箇所打抜くことで、スリット溝間に形成される螺旋状の打抜き残部にて構成し、更に、前記筒体を、螺旋方向の異なる内筒と外筒の二重筒構造にした。
【０００６】
そして、このアンカー部材の芯体を土中に打込んだ後、筒体だけに更に打撃を加えて筒体の膨出部を外側に突出させ、周囲の土中に入り込ませて容易に抜け出さないようにする。
ここで、筒体の先端部は芯体の段部に接合されているため、芯体を打込むと筒体も一緒に土中に打込まれ、また筒体に打撃を加えると筒体に座屈荷重を与えることが出来る。
また筒体の膨出部は、例えば筒体に座屈荷重がかかった際に潰れやすく且つ潰れた部分が外側に突出しやすいようにする。
【０００７】
そして、筒体の膨出部を、筒の円周方向に沿って所定間隔置きに所定幅の螺旋状のスリット溝を複数箇所打抜くことで、スリット溝間に形成される螺旋状の打抜き残部にて構成する。
【０００８】
このように筒の円周方向沿いに、複数の螺旋状のスリット溝を設ければ、筒体に打撃を加えた際に同部が潰れやすく且つ打抜き残部が座屈して外側に広がりやすくなる。
【０００９】
そして、筒体として、螺旋方向の異なる内筒と外筒の二重筒構造にすれば、座屈した部分を外側に広がらせる可能性を高めることが出来、しかも外側に膨出した部分の土中との係合力を増すことが出来る。
【００１０】
【発明の実施の形態】
本発明のアンカー部材の実施形態について添付した図面に基づき説明する。
ここで図１は本発明に係るアンカー部材の分解斜視図、図２はアンカー部材の一部を断面にして示す作用図、図３は使用状態の一例を示す説明図である。
【００１１】
本発明に係るアンカー部材は、例えば山腹または盛土等の法面に対し植生工を施すような際、土壌の上面に展張される植生マットとか緑化ネット等の被覆材料を確実に所定位置に固定しておくことが出来るようにされ、土中に打込んだ後、抜け出しにくくなるようにされている。
【００１２】
すなわち、図１に示すように、このアンカー部材１は、中心部の芯体２と、この芯体２の外側に嵌装される内筒３と、この内筒３の外側に嵌装される外筒４を備え、これらは一体に接合されている。
【００１３】
前記芯体２は、例えば金属製等の素材から構成され、先端側の大径部２ａと基端側の小径部２ｂが段部ｄを介して連なった棒状形態にされるとともに、大径部２ａの先端は、土中に打込みやすいような先細り部ｔとして構成されている。
【００１４】
そして、この芯体２の小径部２ｂの基端部寄りには、軸を直径方向に貫く貫通孔ｈが設けられ、この貫通孔ｈの位置は、後述する要領で、芯体２を打込んだ後、内筒３と外筒４に打撃を加えて打込んだ際、内筒３と外筒４の端部が越えて外部に露出するような位置に設定するとともに、この貫通孔ｈを、例えば被覆材料のネット等を繋止するためのワイヤ、またはロープ等を通す締結孔として利用出来るようにしている。
【００１５】
前記内筒３は、例えば金属製等の素材から構成され、筒３の内径が前記芯体２の小径部２ｂよりやや大径にされるとともに、筒３の外径は前記芯体２の大径部２ａより小径にされ、更に筒長は小径部２ｂの長さより短めにされている。
【００１６】
そして、この内筒３の先端側には、複数の螺旋状のスリット溝ｍ、…で構成される膨出部３ｖが形成されている。
すなわち、この膨出部３ｖは、筒の円周方向に沿って複数の螺旋状のスリット溝ｍ、…を打抜くことで、中間部に複数の螺旋状の打抜き残部ｘ、…を残すようにしており、内筒３を軸方向に圧縮した際に、打抜き残部ｘ、…が外側に広がりやすくなるようにしている。
【００１７】
次に、前記外筒４も、例えば金属製等の素材にて構成され、この外筒４の内径は前記内筒３の外径よりやや大径にされるとともに、外筒４の外径は前記芯体２の大径部２ａより小径にされ、更に筒長は概略前記内筒３の長さとほぼ同一長とされている。
【００１８】
そして、この外筒４の先端側には、複数の螺旋状のスリット溝ｎ、…で形成される膨出部４ｖが形成されており、この膨出部４ｖの螺旋方向は、前記内筒３の膨出部３ｖの螺旋方向とは逆方向にするとともに、筒の円周方向に沿って複数のスリット溝ｎ、…を打抜くことで、中間部に複数の螺旋状の打抜き残部ｙ、…を残すようにしている。
【００１９】
そして以上のようなアンカー部材１は、芯体２の小径部２ｂに内筒３と外筒４を二重に被せて、内筒３と外筒４の端部を段部ｄに当接させるとともに、この当接部を溶接、或いはロウ付けして一体化する。
すると、図２（Ａ）に示すように、芯体２の小径部２ｂの端部は、内筒３及び外筒４の端部を越えて筒外に飛出した状態で一体化される。
【００２０】
次に本アンカー部材１の使用要領等について、図２及び図３に基づき説明する。
本アンカー部材１は、例えば、山腹等の法面１０に展開した被覆材料としての緑化ネット１１の固定部のすべての箇所に適用しても良いが、特にロックネット、スロープネットの端末ロープ等の特定箇所を固定する固定具として適用すればより効率的であり、この時は、直接ネットを固定する従来型のアンカー部材２１と併用するようにする。
【００２１】
すなわち、図３に示すように、山腹等の法面１０に被覆材料としての緑化ネット１１を展開し、例えば中間部を従来型のアンカー２１で固定し、端末ロープ等の箇所に本アンカー部材１を打込む。
因みに、この緑化ネット１１は、例えば二重織りネット１２に対して所定間隔置きに肥料袋１３を装着したようなものである。
【００２２】
そして、本アンカー部材１の打込みは、図２（Ａ）に示すようなアンカー部材１の芯体２の小径部２ｂの上端を打撃して打込むことで、内筒３と外筒４を一体に土中に打込む。この際、実施形態では外筒４の外径は大径部２ａの径より小さいため、全体を円滑に打込むことが出来る。
【００２３】
芯体２がある程度の深さまで打込まれると、次に内筒３と外筒４を打撃する。
この内筒３と外筒４に打撃を加える際は、例えば専用パイプ等を芯体２に被せて内筒３と外筒４の端部に当接させ、この専用パイプ等を打撃することで内筒３と外筒４を打込む。
【００２４】
すると、各筒３、４の先端部は芯体２の段部ｄに当接して前進不能のため圧縮荷重を受け、各膨出部３ｖ、４ｖは潰れるように座屈して各打抜き残部ｘ、ｙが外側に広がって土中に入り込み、図２（Ｂ）に示すような形態となる。
因みに、図２（Ｂ）は膨出部３ｖ、４ｖが綺麗に四周方向に均一に広がった状態を示しているが、必ずしもこのように綺麗に広がる必要はなく、局部的に特定方向だけに広がっても効果がある。
【００２５】
またこの内筒３と外筒４の打込み量は、少なくとも芯体２に穿設した貫通孔ｈが外部に露出する程度とする。
【００２６】
そしてこのような状態でアンカー部材１が打込まれて固定されると、貫通孔ｈにワイヤ、ロープ等を通して緑化ネット１１の端末ロープ等に締結し固定する。
そしてこのように緑化ネット１１が固定されると、図３に示すように、その上から植生基材１４等が吹き付けられ、植物の成育基盤が整えられる。
【００２７】
尚、本発明は以上のような実施形態に限定されるものではない。本発明の特許請求の範囲に記載した事項と実質上同一の構成を有し、同一の作用効果を奏するものは本発明の技術的範囲に属する。
例えば本アンカー部材１の適用箇所は一例であり、その他の箇所に適用するようにしても良く、またアンカー部材１の材質等も任意である。
また、膨出部３ｖ、４ｖのスリット溝ｍ、ｎの数等も任意である。
更に、法面以外の土壌に展開した被覆材料を固定するために使用しても良い。
【００２８】
【発明の効果】
以上のように本発明のアンカー部材は、先端側の大径部と基端側の小径部が段部を介して連なる芯体に対し、小径部の外側に筒体を嵌装して先端部を段部に接合し、芯体を打込んだ後、筒体を打込むことで筒体の膨出部を外側に突出させるようにしたため、容易に土中から抜け出すことがなく被服材料をしっかり固定することが出来る。
この際、筒体の膨出部を、複数の螺旋状の打抜き残部で構成することにより、筒体を打込んだ際に同部が座屈状に潰れやすくなりまた潰れた部分を外側に広がりやすくすることが出来る。
また、筒体を、螺旋方向の異なる内筒と外筒の二重筒構造にすることにより、潰れた部分が外側に広がる可能性を高めることが出来、しかも土中との係合力を増すことが出来る。
【図面の簡単な説明】
【図１】本発明に係るアンカー部材の分解斜視図
【図２】アンカー部材の一部を断面にして示す作用図
【図３】使用状態の一例を示す説明図
【符号の説明】
１…アンカー部材、２…芯体、２ａ…大径部、２ｂ…小径部、３…内筒、３ｖ…膨出部、４…外筒、４ｖ…膨出部、ｄ…段部、ｔ…先細り部、ｍ、ｎ…スリット溝、ｘ、ｙ…打抜き残部。
【図１】
0003887467.tif 000002
【図２】
0003887467.tif 000003
【図３】
0003887467.tif 000004